【手続補正書】
【提出日】平成27年2月19日(2015.2.19)
【手続補正１】
【補正対象書類名】明細書
【補正対象項目名】００１３
【補正方法】変更
【補正の内容】
【００１３】
【図１】本開示の第１の実施の形態に係る表示装置の一構成例を表すブロック図である。
【図２】図１に示したサブ画素の一構成例を表す回路図である。
【図３】図１に示した表示装置の一動作例を表すタイミング波形図である。
【図４】図１に示した表示装置の動作を説明するための説明図である。
【図５】図１に示した表示装置の動作を説明するための他の説明図である。
【図６】第１の実施の形態の変形例に係る表示装置の一構成例を表すブロック図である。
【図７】図６に示したサブ画素の一構成例を表す回路図である。
【図８】図６に示した表示装置の一動作例を表すタイミング波形図である。
【図９】第１の実施の形態の他の変形例に係る表示装置の一構成例を表すブロック図である。
【図１０】図９に示したサブ画素の一構成例を表す回路図である。
【図１１】図９に示した表示装置の一動作例を表すタイミング波形図である。
【図１２】第１の実施の形態の他の変形例に係る表示装置の一動作例を表すタイミング波形図である。
【図１３】第１の実施の形態の他の変形例に係る表示装置の一構成例を表すブロック図である。
【図１４】図１３に示したサブ画素の一構成例を表す回路図である。
【図１５】図１３に示した表示装置の一動作例を表すタイミング波形図である。
【図１６】第１の実施の形態の他の変形例に係る表示装置の一動作例を表すタイミング波形図である。
【図１７】第１の実施の形態の他の変形例に係る表示装置の一構成例を表すブロック図である。
【図１８】図１７に示したサブ画素の一構成例を表す回路図である。
【図１９】図１７に示した表示装置の一動作例を表すタイミング波形図である。
【図２０】第１の実施の形態の他の変形例に係る表示部の一構成例を表す回路図である。
【図２１】図２０に示した表示装置の一動作例を表すタイミング波形図である。
【図２２Ａ】図２０に示した表示装置の動作を説明するための説明図である。
【図２２Ｂ】図２０に示した表示装置の動作を説明するための他の説明図である。
【図２３】第１の実施の形態の他の変形例に係る表示部の一構成例を表す回路図である。
【図２４Ａ】図２３に示した表示装置の動作を説明するための説明図である。
【図２４Ｂ】図２３に示した表示装置の動作を説明するための他の説明図である。
【図２５】第１の実施の形態の他の変形例に係る表示部の一構成例を表す回路図である。
【図２６】図２５に示した表示装置の一動作例を表すタイミング波形図である。
【図２７】第２の実施の形態に係る表示装置の一動作例を表すタイミング波形図である。
【図２８】図２７に示した表示装置の動作を説明するための説明図である。
【図２９】図２７に示した表示装置の動作を説明するための他の説明図である。
【図３０】第３の実施の形態に係る表示装置の一構成例を表すブロック図である。
【図３１】図３０に示したサブ画素の一構成例を表す回路図である。
【図３２】図３０に示した表示装置の一動作例を表すタイミング波形図である。
【図３３】第１の参考例に係る表示装置の一動作例を表すタイミング波形図である。
【図３４】第１の参考例の変形例に係る表示装置の一動作例を表すタイミング波形図である。
【図３５】第１の参考例の他の変形例に係る表示装置の一動作例を表すタイミング波形図である。
【図３６】第１の参考例の他の変形例に係る表示装置の一動作例を表すタイミング波形図である。
【図３７】第１の参考例の他の変形例に係る表示装置の一動作例を表すタイミング波形図である。
【図３８】第２の参考例に係る表示装置の一動作例を表すタイミング波形図である。
【図３９】第２の参考例の変形例に係る表示装置の一動作例を表すタイミング波形図である。
【図４０】第２の参考例の他の変形例に係る表示装置の一動作例を表すタイミング波形図である。
【図４１】第２の参考例の他の変形例に係る表示装置の一動作例を表すタイミング波形図である。
【図４２】第３の参考例に係る表示装置の一動作例を表すタイミング波形図である。
【図４３】第３の参考例の変形例に係る表示装置の一動作例を表すタイミング波形図である。
【図４４】第３の参考例の他の変形例に係る表示装置の一動作例を表すタイミング波形図である。
【図４５】第３の参考例の他の変形例に係る表示装置の一動作例を表すタイミング波形図である。
【図４６】第３の参考例の他の変形例に係る表示装置の一動作例を表すタイミング波形図である。
【図４７】第４の参考例に係る表示装置の一動作例を表すタイミング波形図である。
【図４８】第４の参考例の変形例に係る表示装置の一動作例を表すタイミング波形図である。
【図４９】第４の参考例の他の変形例に係る表示装置の一動作例を表すタイミング波形図である。
【図５０】第４の参考例の他の変形例に係る表示装置の一動作例を表すタイミング波形図である。
【図５１】第４の参考例の他の変形例に係る表示装置の一動作例を表すタイミング波形図である。
【図５２】第４の実施の形態に係る表示装置の一構成例を表すブロック図である。
【図５３】図５２に示したサブ画素の一構成例を表す回路図である。
【図５４】図５２に示した表示装置の一動作例を表すタイミング波形図である。
【図５５】第４の実施の形態の変形例に係る表示装置の一構成例を表すブロック図である。
【図５６】図５５に示したサブ画素の一構成例を表す回路図である。
【図５７】図５５に示した表示装置の一動作例を表すタイミング波形図である。
【図５８】第４の実施の形態の他の変形例に係る表示装置の一構成例を表すブロック図である。
【図５９】図５８に示したサブ画素の一構成例を表す回路図である。
【図６０】図５８に示した表示装置の一動作例を表すタイミング波形図である。
【図６１】第４の実施の形態の他の変形例に係る表示装置の一構成例を表すブロック図である。
【図６２】図６１に示したサブ画素の一構成例を表す回路図である。
【図６３】図６１に示した表示装置の一動作例を表すタイミング波形図である。
【図６４】第４の実施の形態の他の変形例に係る表示装置の一構成例を表すブロック図である。
【図６５】図５８に示したサブ画素の一構成例を表す回路図である。
【図６６】図５８に示した表示装置の一動作例を表すタイミング波形図である。
【図６７】第５の実施の形態に係るサブ画素の一構成例を表す回路図である。
【図６８】第５の実施の形態に係る表示装置の一動作例を表すタイミング波形図である。
【図６９】第５の実施の形態の変形例に係るサブ画素の一構成例を表す回路図である。
【図７０】第５の実施の形態の変形例に係る表示装置の一動作例を表すタイミング波形図である。
【図７１】第５の実施の形態の他の変形例に係る表示装置の一構成例を表すブロック図である。
【図７２】図７１に示したサブ画素の一構成例を表す回路図である。
【図７３】図７１に示した表示装置の一動作例を表すタイミング波形図である。
【図７４】第５の実施の形態の他の変形例に係る表示装置の一構成例を表すブロック図である。
【図７５】図７４に示したサブ画素の一構成例を表す回路図である。
【図７６】図７４に示した表示装置の一動作例を表すタイミング波形図である。
【図７７】第５の参考例に係る表示装置の一動作例を表すタイミング波形図である。
【図７８】第５の参考例の変形例に係る表示装置の一動作例を表すタイミング波形図である。
【図７９】第５の参考例の変形例に係る表示装置の一動作例を表すタイミング波形図である。
【図８０】第５の参考例の変形例に係る表示装置の一動作例を表すタイミング波形図である。
【図８１】第５の参考例の変形例に係る表示装置の一動作例を表すタイミング波形図である。
【図８２】第６の参考例に係る表示装置の一動作例を表すタイミング波形図である。
【図８３】第６の参考例の変形例に係る表示装置の一動作例を表すタイミング波形図である。
【図８４】第６の参考例の変形例に係る表示装置の一動作例を表すタイミング波形図である。
【図８５】第６の参考例の変形例に係るサブ画素の一構成例を表す回路図である。
【図８６】第６の参考例の変形例に係る表示装置の一動作例を表すタイミング波形図である。
【図８７】第６の参考例の変形例に係る表示装置の一動作例を表すタイミング波形図である。
【図８８】第６の実施の形態に係る表示装置の一構成例を表すブロック図である。
【図８９】図８８に示したサブ画素の一構成例を表す回路図である。
【図９０】図８８に示した表示装置の一動作例を表すタイミング波形図である。
【図９１】第６の実施の形態の変形例に係る表示装置の一動作例を表すタイミング波形図である。
【図９２】第７の実施の形態に係るサブ画素の一構成例を表す回路図である。
【図９３】第７の実施の形態に係る表示装置の一動作例を表すタイミング波形図である。
【図９４】第７の実施の形態の変形例に係る表示装置の一動作例を表すタイミング波形図である。
【図９５Ａ】第１の参考例に係る表示装置の一特性例を表す特性図である。
【図９５Ｂ】第１の参考例に係る表示装置の一特性例を表す他の特性図である。
【図９６Ａ】第２の実施の形態に係る表示装置の一特性例を表す特性図である。
【図９６Ｂ】第２の実施の形態に係る表示装置の一特性例を表す他の特性図である。
【図９７Ａ】第２の参考例に係る表示装置の一特性例を表す特性図である。
【図９７Ｂ】第２の参考例に係る表示装置の一特性例を表す他の特性図である。
【図９８】第４の参考例に係る表示装置の一特性例を表す特性図である。
【図９９】実施の形態に係る表示装置が適用されたテレビジョン装置の外観構成を表す斜視図である。
【手続補正２】
【補正対象書類名】明細書
【補正対象項目名】００１４
【補正方法】変更
【補正の内容】
【００１４】
以下、本開示の実施の形態について、図面を参照して詳細に説明する。なお、説明は以下の順序で行う。
１．第１の実施の形態（Ｉds補正の例）
２．第２の実施の形態（Ｉds補正の例）
３．第３の実施の形態（Ｉds補正の例）
４．第１の参考例（Ｖth補正＋μ補正の例）
５．第２の参考例（Ｖth補正の例）
６．第３の参考例（補正をしない例）
７．第４の参考例（補正をしない例）
８．第４の実施の形態（Ｉds補正の例）
９．第５の実施の形態（Ｉds補正の例）
１０．第５の参考例（Ｖth補正の例）
１１．第６の参考例（Ｖth補正の例）
１２．第６の実施の形態（Ｉds補正の例）
１３．第７の実施の形態（Ｉds補正の例）
１４．各方式の比較について
１５．適用例
【手続補正３】
【補正対象書類名】明細書
【補正対象項目名】００３４
【補正方法】変更
【補正の内容】
【００３４】
次に、駆動部２０は、タイミングｔ２〜ｔ３の期間（Ｉds補正期間Ｐ２）において、サブ画素１１に対してＩds補正を行う。具体的には、タイミングｔ２において、電源線駆動部２６が、電源信号ＤＳ２を電圧Ｖiniから電圧Ｖccpに変化させる（図３（Ｂ））。これにより、駆動トランジスタＤＲＴｒは飽和領域で動作するようになり、ドレインからソースに電流Ｉdsが流れ、ソース電圧Ｖｓが上昇する（図３（Ｅ））。その際、ソース電圧Ｖｓは有機ＥＬ素子ＯＬＥＤのカソードの電圧Ｖcathよりも低いため、有機ＥＬ素子ＯＬＥＤは逆バイアス状態を維持し、有機ＥＬ素子ＯＬＥＤには電流は流れない。なお、このときの有機ＥＬ素子ＯＬＥＤの状態は逆バイアス状態に限定されるものではなく、これに代えて、例えば、有機ＥＬ素子ＯＬＥＤの動作点を閾値電圧Ｖel以下に設定することにより電流が流れないようにしてもよい。このようにソース電圧Ｖｓが上昇することにより、ゲート・ソース間電圧Ｖgsが低下するため、電流Ｉdsは低下する。この負帰還動作により、ソース電圧Ｖｓは、時間が経つにつれ、よりゆっくりと上昇するようになる。このＩds補正を行う時間の長さ（タイミングｔ２〜ｔ３）は、後述するように、タイミングｔ３における電流Ｉdsのばらつきを抑えるために定められている。
【手続補正４】
【補正対象書類名】明細書
【補正対象項目名】００５３
【補正方法】変更
【補正の内容】
【００５３】
駆動部２０Ａは、タイミング生成部２２Ａと、走査線駆動部２３Ａと、電源制御線駆動部２５Ａと、電源線駆動部２６Ａと、データ線駆動部２７Ａとを備えている。タイミング生成部２２Ａは、外部から供給される同期信号Ｓsyncに基づいて、走査線駆動部２３Ａ、電源制御線駆動部２５Ａ、電源線駆動部２６Ａ、およびデータ線駆動部２７Ａに対してそれぞれ制御信号を供給し、これらがお互いに同期して動作するように制御する回路である。電源制御線駆動部２５Ａは、タイミング生成部２２Ａから供給された制御信号に従って、複数の電源制御線ＤＳＬに対して電源制御信号ＤＳを順次印加することにより、行ごとにサブ画素１１Ａの発光動作および消光動作の制御を行うものである。走査線駆動部２３Ａ、電源線駆動部２６Ａ、およびデータ線駆動部２７Ａは、それぞれ、上記実施の形態に係る走査線駆動部２３、電源線駆動部２６、およびデータ線駆動部２７と同様の機能を有するものである。
【手続補正５】
【補正対象書類名】明細書
【補正対象項目名】００８１
【補正方法】変更
【補正の内容】
【００８１】
駆動部２０Ｄは、タイミング生成部２２Ｄと、走査線駆動部２３Ｄと、制御線駆動部２４Ｄと、電源制御線駆動部２５Ｄと、データ線駆動部２７Ｄとを備えている。タイミング生成部２２Ｄは、外部から供給される同期信号Ｓsyncに基づいて、走査線駆動部２３Ｄ、制御線駆動部２４Ｄ、電源制御線駆動部２５Ｄ、およびデータ線駆動部２７Ｄに対してそれぞれ制御信号を供給し、これらがお互いに同期して動作するように制御する回路である。制御線駆動部２４Ｄは、タイミング生成部２２Ｄから供給された制御信号に従って、複数の制御線ＡＺ１Ｌに対して制御信号ＡＺ１を順次印加するとともに、複数の制御線ＡＺ２Ｌに対して制御信号ＡＺ２を順次印加するものである。走査線駆動部２３Ｄ、電源制御線駆動部２５Ｄ、およびデータ線駆動部２７Ｄは、それぞれ、走査線駆動部２３、電源制御線駆動部２５Ａ、およびデータ線駆動部２７と同様の機能を有するものである。
【手続補正６】
【補正対象書類名】明細書
【補正対象項目名】００９５
【補正方法】変更
【補正の内容】
【００９５】
次に、駆動部３０は、タイミングｔ２〜ｔ９の期間（Ｉds補正期間Ｐ２）において、上記第１の実施の形態に係る駆動部２０と同様に、サブ画素１１に対してＩds補正を行う。その際、走査線駆動部３３は、波形の立ち下がり部分の電圧が徐々に下がる走査信号ＷＳを生成する（図２７（Ａ））。これにより、画素電圧Ｖsigのレベルにより、Ｉds補正期間Ｐ２の時間の長さ（タイミングｔ２〜ｔ９）が異なるように動作する。
【手続補正７】
【補正対象書類名】明細書
【補正対象項目名】０１１５
【補正方法】変更
【補正の内容】
【０１１５】
次に、駆動部５０は、タイミングｔ２２〜ｔ２３の期間（Ｉds補正期間Ｐ２）において、サブ画素４１に対してＩds補正を行う。具体的には、まず、タイミングｔ２２において、制御線駆動部５４は、制御信号ＩＮＩＳの電圧を低レベルから高レベルに変化させる（図３２（Ａ））。これにより、制御トランジスタＴｒ４がオフ状態になる。また、これと同時に、制御線駆動部５４は、制御信号ＡＺの電圧を高レベルから低レベルに変化させる（図３２（Ｄ））。これにより、制御トランジスタＴｒ３がオン状態になる。つまり、駆動トランジスタＴｒ２は、ドレインとゲートが制御トランジスタＴｒ３を介して接続された状態（いわゆるダイオード接続）になる。これにより、駆動トランジスタＴｒ２のソースからドレインに電流が流れ、ゲート電圧Ｖｇが上昇する（図３２（Ｆ））。このようにゲート電圧Ｖｇが上昇することにより、駆動トランジスタＴｒ２のソースからドレインに流れる電流は低下する。この負帰還動作により、ゲート電圧Ｖｇは、時間が経つにつれ、よりゆっくりと上昇するようになる。このＩds補正を行う時間の長さ（タイミングｔ２２〜ｔ２３）は、上記第１の実施の形態に記載したように、タイミングｔ２３における駆動トランジスタＴｒ２を流れる電流のばらつきを抑えるために定められるものである。
【手続補正８】
【補正対象書類名】明細書
【補正対象項目名】０１２３
【補正方法】変更
【補正の内容】
【０１２３】
＜４．第１の参考例＞
次に、第１の参考例に係る表示装置６について説明する。本参考例は、上記第１の実施の形態に係る表示装置１等と補正の方法が異なるものである。なお、上記第１の実施の形態に係る表示装置１と実質的に同一の構成部分には同一の符号を付し、適宜説明を省略する。
【手続補正９】
【補正対象書類名】明細書
【補正対象項目名】０１３５
【補正方法】変更
【補正の内容】
【０１３５】
以上のように本参考例では、Ｖth補正およびμ補正の両方を行うようにしたので、駆動トランジスタの素子ばらつきに起因する画質の低下を抑えることができる。
【手続補正１０】
【補正対象書類名】明細書
【補正対象項目名】０１３６
【補正方法】変更
【補正の内容】
【０１３６】
また、本参考例では、発光期間において、有機ＥＬ素子の素子ばらつきに応じた分だけソース電圧が上昇するようにしたので、有機ＥＬ素子の素子ばらつきに起因する画質の低下を抑えることができる。
【手続補正１１】
【補正対象書類名】明細書
【補正対象項目名】０１３７
【補正方法】変更
【補正の内容】
【０１３７】
［変形例４−１］
上記参考例では、「２Ｔｒ１Ｃ」構成のサブ画素１１を有する表示部１０（図１，２）に対して、Ｖth補正およびμ補正の両方を行うようにしたが、これに限定されるものではなく、これに代えて、「３Ｔｒ１Ｃ」構成のサブ画素１１Ａを有する表示部１０Ａ（図６，７）に対して、Ｖth補正およびμ補正の両方を行うようにしてもよい。以下に、本変形例に係る表示装置６Ａについて詳細に説明する。
【手続補正１２】
【補正対象書類名】明細書
【補正対象項目名】０１４１
【補正方法】変更
【補正の内容】
【０１４１】
次に、駆動部６０Ａは、タイミングｔ４２〜ｔ４３の期間（Ｖth補正期間Ｐ１２）において、上記参考例の場合と同様にＶth補正を行う。
【手続補正１３】
【補正対象書類名】明細書
【補正対象項目名】０１４５
【補正方法】変更
【補正の内容】
【０１４５】
このように構成しても、上記参考例と同様の効果を得ることができる。
【手続補正１４】
【補正対象書類名】明細書
【補正対象項目名】０１５０
【補正方法】変更
【補正の内容】
【０１５０】
次に、駆動部６０Ｂは、タイミングｔ５２〜ｔ５３の期間（Ｖth補正期間Ｐ１２）において、Ｖth補正を行う。具体的には、制御線駆動部６４Ｂが、制御信号ＡＺ１の電圧を高レベルから低レベルに変化させ（図３５（Ｂ））、電源制御線駆動部６５Ｂが、電源制御信号ＤＳの電圧を高レベルから低レベルに変化させる（図３５（Ｃ））。これにより、制御トランジスタＡＺ１がオフ状態になるとともに、電源トランジスタＤＳＴｒがオン状態になり、上記参考例の場合と同様にＶth補正が行われる。
【手続補正１５】
【補正対象書類名】明細書
【補正対象項目名】０１５３
【補正方法】変更
【補正の内容】
【０１５３】
このように構成しても、上記参考例と同様の効果を得ることができる。
【手続補正１６】
【補正対象書類名】明細書
【補正対象項目名】０１５８
【補正方法】変更
【補正の内容】
【０１５８】
次に、駆動部６０Ｃは、タイミングｔ６２〜ｔ６３の期間（Ｖth補正期間Ｐ１２）において、上記参考例の場合と同様に、Ｖth補正を行う。
【手続補正１７】
【補正対象書類名】明細書
【補正対象項目名】０１６２
【補正方法】変更
【補正の内容】
【０１６２】
このように構成しても、上記参考例と同様の効果を得ることができる。
【手続補正１８】
【補正対象書類名】明細書
【補正対象項目名】０１６９
【補正方法】変更
【補正の内容】
【０１６９】
次に、駆動部６０Ｄは、タイミングｔ７４〜ｔ７５の期間（Ｖth補正期間Ｐ１２）において、Ｖth補正を行う。具体的には、タイミングｔ７４において、電源制御線駆動部６５Ｄが、電源制御信号ＤＳの電圧を高レベルから低レベルに変化させる（図３７（Ｄ））。これにより、上記参考例の場合と同様にＶth補正が行われる。
【手続補正１９】
【補正対象書類名】明細書
【補正対象項目名】０１７３
【補正方法】変更
【補正の内容】
【０１７３】
このように構成しても、上記参考例と同様の効果を得ることができる。
【手続補正２０】
【補正対象書類名】明細書
【補正対象項目名】０１７４
【補正方法】変更
【補正の内容】
【０１７４】
＜５．第２の参考例＞
次に、第２の参考例に係る表示装置７Ａについて説明する。本参考例は、上記第１の参考例に係る表示装置６において、μ補正を省き、Ｖth補正のみを行うようにしたものである。なお、上記第１の参考例に係る表示装置６等と実質的に同一の構成部分には同一の符号を付し、適宜説明を省略する。
【手続補正２１】
【補正対象書類名】明細書
【補正対象項目名】０１７５
【補正方法】変更
【補正の内容】
【０１７５】
表示装置７Ａは、図６，７に示したように、「３Ｔｒ１Ｃ」構成のサブ画素１１Ａを有する表示部１０Ａと、駆動部７０Ａとを備えたものである。駆動部７０Ａは、走査線駆動部７３Ａと、電源制御線駆動部７５Ａと、電源線駆動部７６Ａと、データ線駆動部７７Ａとを有している。
【手続補正２２】
【補正対象書類名】明細書
【補正対象項目名】０１７８
【補正方法】変更
【補正の内容】
【０１７８】
まず、駆動部７０Ａは、上記第１の参考例に係る駆動部６０Ａ（図３４）と同様に、タイミングｔ４１〜ｔ４２の期間（初期化期間Ｐ１１）においてサブ画素１１Ａの初期化を行い、タイミングｔ４２〜ｔ４３の期間（Ｖth補正期間Ｐ１２）においてＶth補正を行い、タイミングｔ４４〜ｔ４７の期間（書込期間Ｐ１４）において、サブ画素１１Ａに対して画素電圧Ｖsigの書込みを行う。
【手続補正２３】
【補正対象書類名】明細書
【補正対象項目名】０１８０
【補正方法】変更
【補正の内容】
【０１８０】
次に、駆動部７０Ａは、タイミングｔ４８以降の期間（発光期間Ｐ１６）において、サブ画素１１Ａを発光させる。具体的には、タイミングｔ４８において、電源制御線駆動部７５Ａが、電源制御信号ＤＳを高レベルから低レベルに変化させる（図３８（Ｂ））。これにより、上記第１の参考例に係る発光期間Ｐ１６と同様に、駆動トランジスタＤＲＴｒのゲート電圧Ｖｇおよびソース電圧Ｖｓが上昇し（図３８（Ｅ），（Ｆ））、有機ＥＬ素子ＯＬＥＤが発光する。
【手続補正２４】
【補正対象書類名】明細書
【補正対象項目名】０１８１
【補正方法】変更
【補正の内容】
【０１８１】
以上のように本参考例では、Ｖth補正のみを行うようにしたので、駆動トランジスタの素子ばらつきに起因する画質の低下を抑えつつ、よりシンプルな動作を実現することができる。
【手続補正２５】
【補正対象書類名】明細書
【補正対象項目名】０１８２
【補正方法】変更
【補正の内容】
【０１８２】
また、本参考例では、発光期間において、有機ＥＬ素子の素子ばらつきに応じた分だけソース電圧が上昇するようにしたので、有機ＥＬ素子の素子ばらつきに起因する画質の低下を抑えることができる。
【手続補正２６】
【補正対象書類名】明細書
【補正対象項目名】０１８３
【補正方法】変更
【補正の内容】
【０１８３】
［変形例５−１］
上記参考例では、「３Ｔｒ１Ｃ」構成のサブ画素１１Ａを有する表示部１０Ａ（図６，７）に対して、Ｖth補正を行うようにしたが、これに限定されるものではなく、これに代えて、「４Ｔｒ１Ｃ」構成のサブ画素１１Ｂを有する表示部１０Ｂ（図９，１０）に対して、Ｖth補正を行うようにしてもよい。以下に、本変形例に係る表示装置７Ｂについて詳細に説明する。
【手続補正２７】
【補正対象書類名】明細書
【補正対象項目名】０１８６
【補正方法】変更
【補正の内容】
【０１８６】
まず、駆動部７０Ｂは、上記第１の参考例に係る駆動部６０Ｂ（図３５）と同様に、タイミングｔ５１〜ｔ５２の期間（初期化期間Ｐ１１）においてサブ画素１１Ｂの初期化を行い、タイミングｔ５２〜ｔ５３の期間（Ｖth補正期間Ｐ１２）においてＶth補正を行い、タイミングｔ５４〜ｔ５７の期間（書込期間Ｐ１４）において、サブ画素１１Ｂに対して画素電圧Ｖsigの書込みを行う。
【手続補正２８】
【補正対象書類名】明細書
【補正対象項目名】０１８８
【補正方法】変更
【補正の内容】
【０１８８】
次に、駆動部７０Ｂは、タイミングｔ５８以降の期間（発光期間Ｐ１６）において、サブ画素１１Ｂを発光させる。具体的には、タイミングｔ５８において、電源制御線駆動部７５Ｂが、電源制御信号ＤＳを高レベルから低レベルに変化させる（図３９（Ｃ））。これにより、上記第１の参考例に係る発光期間Ｐ１６と同様に、駆動トランジスタＤＲＴｒのゲート電圧Ｖｇおよびソース電圧Ｖｓが上昇し（図３９（Ｅ），（Ｆ））、有機ＥＬ素子ＯＬＥＤが発光する。
【手続補正２９】
【補正対象書類名】明細書
【補正対象項目名】０１８９
【補正方法】変更
【補正の内容】
【０１８９】
このように構成しても、上記参考例と同様の効果を得ることができる。
【手続補正３０】
【補正対象書類名】明細書
【補正対象項目名】０１９３
【補正方法】変更
【補正の内容】
【０１９３】
まず、駆動部７０Ｃは、上記第１の参考例に係る駆動部６０Ｃ（図３６）と同様に、タイミングｔ６１〜ｔ６２の期間（初期化期間Ｐ１１）においてサブ画素１１Ｃの初期化を行い、タイミングｔ６２〜ｔ６３の期間（Ｖth補正期間Ｐ１２）においてＶth補正を行い、タイミングｔ６４〜ｔ６７の期間（書込期間Ｐ１４）において、サブ画素１１Ｃに対して画素電圧Ｖsigの書込みを行う。
【手続補正３１】
【補正対象書類名】明細書
【補正対象項目名】０１９５
【補正方法】変更
【補正の内容】
【０１９５】
次に、駆動部７０Ｃは、タイミングｔ６８以降の期間（発光期間Ｐ１６）において、サブ画素１１Ｃを発光させる。具体的には、タイミングｔ６８において、電源制御線駆動部７５Ｃが、電源制御信号ＤＳを高レベルから低レベルに変化させる（図４０（Ｃ））。これにより、上記第１の参考例に係る発光期間Ｐ１６と同様に、駆動トランジスタＤＲＴｒのゲート電圧Ｖｇおよびソース電圧Ｖｓが上昇し（図４０（Ｆ），（Ｇ））、有機ＥＬ素子ＯＬＥＤが発光する。
【手続補正３２】
【補正対象書類名】明細書
【補正対象項目名】０１９６
【補正方法】変更
【補正の内容】
【０１９６】
このように構成しても、上記参考例と同様の効果を得ることができる。
【手続補正３３】
【補正対象書類名】明細書
【補正対象項目名】０２００
【補正方法】変更
【補正の内容】
【０２００】
まず、駆動部７０Ｄは、上記第１の参考例に係る駆動部６０Ｄ（図３７）と同様に、タイミングｔ７２〜ｔ７３の期間（初期化期間Ｐ１１）においてサブ画素１１Ｄの初期化を行い、タイミングｔ７４〜ｔ７５の期間（Ｖth補正期間Ｐ１２）においてＶth補正を行い、タイミングｔ７７〜ｔ８０の期間（書込期間Ｐ１４）において、サブ画素１１Ｄに対して画素電圧Ｖsigの書込みを行う。
【手続補正３４】
【補正対象書類名】明細書
【補正対象項目名】０２０２
【補正方法】変更
【補正の内容】
【０２０２】
次に、駆動部７０Ｄは、タイミングｔ８１以降の期間（発光期間Ｐ１６）において、サブ画素１１Ｄを発光させる。具体的には、タイミングｔ８１において、電源制御線駆動部７５Ｄが、電源制御信号ＤＳを高レベルから低レベルに変化させる（図４１（Ｄ））。これにより、上記第１の参考例に係る発光期間Ｐ１６と同様に、駆動トランジスタＤＲＴｒのゲート電圧Ｖｇおよびソース電圧Ｖｓが上昇し（図４１（Ｆ），（Ｇ））、有機ＥＬ素子ＯＬＥＤが発光する。
【手続補正３５】
【補正対象書類名】明細書
【補正対象項目名】０２０３
【補正方法】変更
【補正の内容】
【０２０３】
このように構成しても、上記参考例と同様の効果を得ることができる。
【手続補正３６】
【補正対象書類名】明細書
【補正対象項目名】０２０４
【補正方法】変更
【補正の内容】
【０２０４】
＜６．第３の参考例＞
次に、第３の参考例に係る表示装置８について説明する。本参考例は、駆動トランジスタＤＲＴｒの素子ばらつきが画質に与える影響を抑えるための補正を行わないものである。なお、上記第１の実施の形態に係る表示装置１等と実質的に同一の構成部分には同一の符号を付し、適宜説明を省略する。
【手続補正３７】
【補正対象書類名】明細書
【補正対象項目名】０２０８
【補正方法】変更
【補正の内容】
【０２０８】
まず、駆動部８０は、タイミングｔ９１〜ｔ９２の期間（書込期間Ｐ２１）において、サブ画素１１に対する画素電圧Ｖsigの書込みを行う。具体的には、まず、データ線駆動部９７が、タイミングｔ９１において、信号Ｓigを画素電圧Ｖsigに設定し（図４２（Ｃ））、走査線駆動部８３が、走査信号ＷＳの電圧を低レベルから高レベルに変化させる（図４２（Ａ））。これにより、書込トランジスタＷＳＴｒがオン状態になり、駆動トランジスタＤＲＴｒのゲート電圧Ｖｇが電圧Ｖsigに設定される（図４２（Ｄ））。また、これと同時に、電源線駆動部８６が、電源信号ＤＳ２を電圧Ｖccpから電圧Ｖiniに変化させる（図４２（Ｂ））。これにより、駆動トランジスタＤＲＴｒがオン状態になり、駆動トランジスタＤＲＴｒのソース電圧Ｖｓが電圧Ｖiniに設定される（図４２（Ｅ））。
【手続補正３８】
【補正対象書類名】明細書
【補正対象項目名】０２１１
【補正方法】変更
【補正の内容】
【０２１１】
以上のように本参考例では、駆動トランジスタの素子ばらつきが画質に与える影響を抑えるための補正を行わないようにしたので、よりシンプルな動作を実現することができる。
【手続補正３９】
【補正対象書類名】明細書
【補正対象項目名】０２１２
【補正方法】変更
【補正の内容】
【０２１２】
また、本参考例では、発光期間において、有機ＥＬ素子の素子ばらつきに応じた分だけソース電圧が上昇するようにしたので、有機ＥＬ素子の素子ばらつきに起因する画質の低下を抑えることができる。
【手続補正４０】
【補正対象書類名】明細書
【補正対象項目名】０２１３
【補正方法】変更
【補正の内容】
【０２１３】
［変形例６−１］
上記参考例では、「２Ｔｒ１Ｃ」構成のサブ画素１１を有する表示部１０（図１，２）に対して、駆動トランジスタＤＲＴｒの素子ばらつきが画質に与える影響を抑えるための補正を行わないようにしたが、これに限定されるものではなく、これに代えて、「４Ｔｒ１Ｃ」構成のサブ画素１１Ｂを有する表示部１０Ｂ（図９，１０）に対して、同様の補正を行わないようにしてもよい。以下に、本変形例に係る表示装置８Ｂについて詳細に説明する。
【手続補正４１】
【補正対象書類名】明細書
【補正対象項目名】０２１７
【補正方法】変更
【補正の内容】
【０２１７】
次に、駆動部８０Ｂは、タイミングｔ１０２〜ｔ１０３の期間（書込期間Ｐ２１）において、上記参考例の場合と同様に、サブ画素１１Ｂに対して画素電圧Ｖsigの書込みを行う。また、タイミングｔ１０２において、制御線駆動部８４Ｂは、制御信号ＡＺ１の電圧を低レベルから高レベルに変化させる（図４３（Ｂ））。これにより、制御トランジスタＡＺ１Ｔｒがオン状態になり、駆動トランジスタＤＲＴｒのソース電圧Ｖｓが電圧Ｖiniに設定される（図４３（Ｆ））。
【手続補正４２】
【補正対象書類名】明細書
【補正対象項目名】０２１８
【補正方法】変更
【補正の内容】
【０２１８】
次に、タイミングｔ１０３において、走査線駆動部８３Ｂは、走査信号ＷＳの電圧を高レベルから低レベルに変化させるとともに（図４３（Ａ））、制御線駆動部８４Ｂは、制御信号ＡＺ１の電圧を高レベルから低レベルに変化させる（図４３（Ｂ））。これにより、書込トランジスタＷＳＴｒがオフ状態になるとともに、制御トランジスタＡＺ１Ｔｒがオフ状態になる。
【手続補正４３】
【補正対象書類名】明細書
【補正対象項目名】０２１９
【補正方法】変更
【補正の内容】
【０２１９】
次に、駆動部８０Ｂは、タイミングｔ１０４以降の期間（発光期間Ｐ２２）において、サブ画素１１Ｂを発光させる。具体的には、タイミングｔ１０４において、電源制御線駆動部８５Ｂが、電源制御信号ＤＳの電圧を高レベルから低レベルに変化させる（図４３（Ｃ））。これにより、上記参考例の場合と同様に、有機ＥＬ素子ＯＬＥＤが発光する。
【手続補正４４】
【補正対象書類名】明細書
【補正対象項目名】０２２０
【補正方法】変更
【補正の内容】
【０２２０】
このような構成でも、上記参考例と同様の効果を得ることができる。
【手続補正４５】
【補正対象書類名】明細書
【補正対象項目名】０２２１
【補正方法】変更
【補正の内容】
【０２２１】
［変形例６−２］
上記参考例では、２つのトランジスタを用いてサブ画素１１を構成したが、これに限定されるものではなく、これに代えて、例えば、他のトランジスタをさらに含んで構成してもよい。
【手続補正４６】
【補正対象書類名】明細書
【補正対象項目名】０２２５
【補正方法】変更
【補正の内容】
【０２２５】
＜７．第４の参考例＞
次に、第４の参考例に係る表示装置９について説明する。本実施の形態は、サブ画素１１への書込動作時においてサブ画素１１が発光を開始するように構成したものである。なお、上記第１の実施の形態に係る表示装置１等と実質的に同一の構成部分には同一の符号を付し、適宜説明を省略する。
【手続補正４７】
【補正対象書類名】明細書
【補正対象項目名】０２２８
【補正方法】変更
【補正の内容】
【０２２８】
駆動部９０は、タイミングｔ１１１〜ｔ１１２の期間（書込期間Ｐ３１）において、サブ画素１１に対する画素電圧Ｖsigの書込みを行う。具体的には、まず、データ線駆動部９７が、タイミングｔ１１１において、信号Ｓigを画素電圧Ｖsigに設定し（図４７（Ｂ））、走査線駆動部９３が、走査信号ＷＳの電圧を低レベルから高レベルに変化させる（図４７（Ａ））。これにより、書込トランジスタＷＳＴｒがオン状態になり、駆動トランジスタＤＲＴｒのゲート電圧Ｖｇが電圧Ｖsigに設定される（図４７（Ｃ））。そして、駆動トランジスタＤＲＴｒの電流Ｉdsが有機ＥＬ素子ＯＬＥＤに流れて、ソース電圧Ｖｓが定まる（図４７（Ｄ））。このようにして、有機ＥＬ素子ＯＬＥＤは、タイミングｔ１１１以降の期間（発光期間Ｐ３２）において発光する。
【手続補正４８】
【補正対象書類名】明細書
【補正対象項目名】０２２９
【補正方法】変更
【補正の内容】
【０２２９】
以上のように本参考例では、サブ画素への書込動作時においてサブ画素が発光を開始するように構成したので、よりシンプルな動作を実現することができる。
【手続補正４９】
【補正対象書類名】明細書
【補正対象項目名】０２３０
【補正方法】変更
【補正の内容】
【０２３０】
［変形例７−１］
上記参考例では、２つのトランジスタを用いてサブ画素１１を構成したが、これに限定されるものではなく、これに代えて、例えば、他のトランジスタをさらに含んで構成してもよい。
【手続補正５０】
【補正対象書類名】明細書
【補正対象項目名】０２３５
【補正方法】変更
【補正の内容】
【０２３５】
＜８．第４の実施の形態＞
次に、第４の実施の形態に係る表示装置１００について説明する。本実施の形態は、駆動トランジスタＤＲＴｒのゲートに画素電圧Ｖsigを印加し、Ｉds補正によりソース電圧を変化させる表示装置における表示部を、ＰＭＯＳトランジスタのみを用いて構成したものである。なお、上記第１の実施の形態に係る表示装置１と実質的に同一の構成部分には同一の符号を付し、適宜説明を省略する。
【手続補正５１】
【補正対象書類名】明細書
【補正対象項目名】０２７２
【補正方法】変更
【補正の内容】
【０２７２】
まず、電源制御線駆動部１２５Ｃは、書込期間Ｐ１に先立つタイミングｔ１４１において、電源制御信号ＤＳＢの電圧を低レベルから高レベルに変化させる（図６３（Ｄ））。これにより、電源トランジスタＤＳＢＴｒがオフ状態になる。
【手続補正５２】
【補正対象書類名】明細書
【補正対象項目名】０２８４
【補正方法】変更
【補正の内容】
【０２８４】
＜９．第５の実施の形態＞
次に、第５の実施の形態に係る表示装置３００について説明する。本実施の形態は、駆動トランジスタＤＲＴｒをＮＭＯＳトランジスタで構成する場合において、その駆動トランジスタＤＲＴｒのソースに画素電圧Ｖsigを印加し、Ｉds補正によりゲート電圧を変化させるようにしたものである。なお、上記第１の実施の形態に係る表示装置１と実質的に同一の構成部分には同一の符号を付し、適宜説明を省略する。
【手続補正５３】
【補正対象書類名】明細書
【補正対象項目名】０２８８
【補正方法】変更
【補正の内容】
【０２８８】
容量素子Ｃsubは、一端が駆動トランジスタＤＲＴｒのソースおよび容量素子Ｃｓの他端等に接続され、他端には駆動部３２０により電圧Ｖ１が供給されている。この電圧Ｖ１は、直流電圧であればどのようなものでもよく、例えば、電圧Ｖccp，Ｖini，Ｖofs，Ｖcathが使用可能である。
【手続補正５４】
【補正対象書類名】明細書
【補正対象項目名】０３１６
【補正方法】変更
【補正の内容】
【０３１６】
＜１０．第５の参考例＞
次に、第５の参考例に係る表示装置７００Ａについて説明する。本参考例は、上記第４の実施の形態に係る表示装置１００等と同様の構成を用いて、第２の参考例に記載したＶth補正を行うものである。なお、上記第２の参考例および第４の実施の形態に係る表示装置等と実質的に同一の構成部分には同一の符号を付し、適宜説明を省略する。
【手続補正５５】
【補正対象書類名】明細書
【補正対象項目名】０３２５
【補正方法】変更
【補正の内容】
【０３２５】
そして、駆動部７２０Ａは、上記第２の参考例に係る駆動部７０Ａ（図３８）と同様に、タイミングｔ１７８以降の期間（発光期間Ｐ１６）において、サブ画素１１１Ａを発光させる。
【手続補正５６】
【補正対象書類名】明細書
【補正対象項目名】０３２６
【補正方法】変更
【補正の内容】
【０３２６】
このように構成しても、上記第２の参考例等と同様の効果を得ることができる。
【手続補正５７】
【補正対象書類名】明細書
【補正対象項目名】０３２７
【補正方法】変更
【補正の内容】
【０３２７】
［変形例１０−１］
上記参考例では、初期化期間Ｐ１１において、制御トランジスタＡＺ２Ｔｒをオン状態にすることにより、駆動トランジスタＤＲＴｒのゲートに電圧Ｖofsを供給したが、これに限定されるものではなく、書込トランジスタＷＳＴｒをオン状態にすることにより、駆動トランジスタＤＲＴｒのゲートに電圧Ｖofsを供給してもよい。以下に、本変形例について詳細に説明する。
【手続補正５８】
【補正対象書類名】明細書
【補正対象項目名】０３３２
【補正方法】変更
【補正の内容】
【０３３２】
次に、駆動部７２０Ｂは、上記参考例に係る駆動部７２０Ａ（図７７）と同様に、タイミングｔ１８３〜ｔ１８４の期間（Ｖth補正期間Ｐ１２）において、Ｖth補正を行う。
【手続補正５９】
【補正対象書類名】明細書
【補正対象項目名】０３３５
【補正方法】変更
【補正の内容】
【０３３５】
そして、駆動部７２０Ｂは、上記参考例に係る駆動部７２０Ａ（図７７）と同様に、タイミングｔ１８７以降の期間（発光期間Ｐ１６）において、サブ画素１１１を発光させる。
【手続補正６０】
【補正対象書類名】明細書
【補正対象項目名】０３３６
【補正方法】変更
【補正の内容】
【０３３６】
このような構成でも、上記参考例と同様の効果を得ることができる。
【手続補正６１】
【補正対象書類名】明細書
【補正対象項目名】０３４６
【補正方法】変更
【補正の内容】
【０３４６】
このような構成でも、上記参考例と同様の効果を得ることができる。
【手続補正６２】
【補正対象書類名】明細書
【補正対象項目名】０３５０
【補正方法】変更
【補正の内容】
【０３５０】
まず、電源制御線駆動部７２５Ｄは、初期化期間Ｐ１１に先立つタイミングｔ２０１において、電源制御信号ＤＳＢの電圧を低レベルから高レベルに変化させる（図８０（Ｄ））。これにより、電源トランジスタＤＳＢＴｒがオフ状態になる。
【手続補正６３】
【補正対象書類名】明細書
【補正対象項目名】０３５６
【補正方法】変更
【補正の内容】
【０３５６】
このような構成でも、上記参考例と同様の効果を得ることができる。
【手続補正６４】
【補正対象書類名】明細書
【補正対象項目名】０３５７
【補正方法】変更
【補正の内容】
【０３５７】
［変形例１０−２］
上記参考例では、初期化期間Ｐ１１において、制御トランジスタＡＺ１Ｔｒをオン状態にすることにより、駆動トランジスタＤＲＴｒのソースに電圧Ｖiniを供給したが、これに限定されるものではなく、これに代えて、例えば電源トランジスタＤＳＴｒをオン状態にすることにより、駆動トランジスタＤＲＴｒのソースに電圧Ｖccpを供給してもよい。以下に、本変形例について詳細に説明する。
【手続補正６５】
【補正対象書類名】明細書
【補正対象項目名】０３６０
【補正方法】変更
【補正の内容】
【０３６０】
まず、電源制御線駆動部７２５Ｅは、初期化期間Ｐ１１に先立つタイミングｔ２１１において、電源制御信号ＤＳＢの電圧を低レベルから高レベルに変化させる（図８１（Ｅ））。これにより、電源トランジスタＤＳＢＴｒがオフ状態になる。
【手続補正６６】
【補正対象書類名】明細書
【補正対象項目名】０３６３
【補正方法】変更
【補正の内容】
【０３６３】
次に、駆動部７２０Ｅは、上記参考例に係る駆動部７２０Ａ（図７７）と同様に、タイミングｔ２１４〜ｔ２１５の期間（Ｖth補正期間Ｐ１２）において、Ｖth補正を行う。
【手続補正６７】
【補正対象書類名】明細書
【補正対象項目名】０３６５
【補正方法】変更
【補正の内容】
【０３６５】
次に、駆動部７２０Ｅは、上記参考例に係る駆動部７２０Ａ（図７７）と同様に、タイミングｔ２１７〜ｔ２１８の期間（書込期間Ｐ１４）において、サブ画素１１１Ｄに対して画素電圧Ｖsigの書込みを行う。
【手続補正６８】
【補正対象書類名】明細書
【補正対象項目名】０３６８
【補正方法】変更
【補正の内容】
【０３６８】
このような構成でも、上記参考例と同様の効果を得ることができる。
【手続補正６９】
【補正対象書類名】明細書
【補正対象項目名】０３６９
【補正方法】変更
【補正の内容】
【０３６９】
＜１１．第６の参考例＞
次に、第６の参考例に係る表示装置８００について説明する。本実施の形態は、上記第５の実施の形態に係る表示装置３００と同様の構成を用いて、第２の参考例に記載したＶth補正を行うものである。なお、上記第２の参考例および第５の実施の形態に係る表示装置等と実質的に同一の構成部分には同一の符号を付し、適宜説明を省略する。
【手続補正７０】
【補正対象書類名】明細書
【補正対象項目名】０３７８
【補正方法】変更
【補正の内容】
【０３７８】
そして、駆動部８２０は、上記第２の参考例に係る駆動部７０Ａ（図３８）と同様に、タイミングｔ２２８以降の期間（発光期間Ｐ１６）において、サブ画素３１１を発光させる。
【手続補正７１】
【補正対象書類名】明細書
【補正対象項目名】０３７９
【補正方法】変更
【補正の内容】
【０３７９】
このように構成しても、上記第２の参考例等と同様の効果を得ることができる。
【手続補正７２】
【補正対象書類名】明細書
【補正対象項目名】０３８０
【補正方法】変更
【補正の内容】
【０３８０】
［変形例１１−１］
上記参考例では、初期化期間Ｐ１１において、制御トランジスタＡＺ１Ｔｒをオン状態にすることにより、駆動トランジスタＤＲＴｒのゲートに電圧Ｖiniを供給したが、これに限定されるものではなく、これに代えて、例えば、図５５，６９，８３に示したように、制御トランジスタＡＺ１Ｔｒをオン状態にすることにより、ゲートに電圧Ｖccpを供給してもよい。
【手続補正７３】
【補正対象書類名】明細書
【補正対象項目名】０３８１
【補正方法】変更
【補正の内容】
【０３８１】
［変形例１１−２］
上記参考例では、初期化期間Ｐ１１において、制御トランジスタＡＺ１Ｔｒをオン状態にすることにより、駆動トランジスタＤＲＴｒのゲートに電圧Ｖiniを供給したが、これに限定されるものではなく、これに代えて、例えば電源トランジスタＤＳＴｒをオン状態にすることにより、駆動トランジスタＤＲＴｒのゲートに電圧Ｖccpを供給してもよい。以下に、本変形例について詳細に説明する。
【手続補正７４】
【補正対象書類名】明細書
【補正対象項目名】０３８７
【補正方法】変更
【補正の内容】
【０３８７】
そして、駆動部８２０Ｂは、上記参考例に係る駆動部８２０（図８２）と同様に、タイミングｔ２３５〜ｔ２３６の期間（書込期間Ｐ１４）において、サブ画素３１１Ｄに対して画素電圧Ｖsigの書込みを行い、タイミングｔ２３７以降の期間（発光期間Ｐ１６）において、サブ画素３１１Ｄを発光させる。
【手続補正７５】
【補正対象書類名】明細書
【補正対象項目名】０３８８
【補正方法】変更
【補正の内容】
【０３８８】
このような構成でも、上記参考例と同様の効果を得ることができる。
【手続補正７６】
【補正対象書類名】明細書
【補正対象項目名】０３９４
【補正方法】変更
【補正の内容】
【０３９４】
このような構成でも、上記参考例と同様の効果を得ることができる。
【手続補正７７】
【補正対象書類名】明細書
【補正対象項目名】０３９５
【補正方法】変更
【補正の内容】
【０３９５】
［変形例１１−３］
上記参考例では、初期化期間Ｐ１１において、制御トランジスタＡＺ２Ｔｒをオン状態にすることにより、駆動トランジスタＤＲＴｒのソースに電圧Ｖofsを供給したが、これに限定されるものではなく、これに代えて、例えば書込トランジスタＷＳＴｒをオン状態にすることにより、駆動トランジスタＤＲＴｒのソースに電圧Ｖofsを供給してもよい。以下に、本変形例について詳細に説明する。
【手続補正７８】
【補正対象書類名】明細書
【補正対象項目名】０４０３
【補正方法】変更
【補正の内容】
【０４０３】
そして、駆動部８２０Ｄは、上記参考例に係る駆動部８００（図８２）と同様に、タイミングｔ２４６以降の期間（発光期間Ｐ１６）において、サブ画素３１１Ｃを発光させる。
【手続補正７９】
【補正対象書類名】明細書
【補正対象項目名】０４０４
【補正方法】変更
【補正の内容】
【０４０４】
このような構成でも、上記参考例と同様の効果を得ることができる。
【手続補正８０】
【補正対象書類名】明細書
【補正対象項目名】０４０５
【補正方法】変更
【補正の内容】
【０４０５】
＜１２．第６の実施の形態＞
次に、第６の実施の形態に係る表示装置４００について説明する。本実施の形態は、サブ画素を、３つのＰチャネルＭＯＳ型のＴＦＴ、および１つの容量素子Ｃｓを用いて構成したものである。なお、上記第１の実施の形態に係る表示装置等と実質的に同一の構成部分には同一の符号を付し、適宜説明を省略する。
【手続補正８１】
【補正対象書類名】明細書
【補正対象項目名】０４１４
【補正方法】変更
【補正の内容】
【０４１４】
なお、書込期間Ｐ１およびＩds補正期間Ｐ２（タイミングｔ２５１〜ｔ２５３の期間）には、有機ＥＬ素子ＯＬＥＤに画素電圧Ｖsigに応じた電流が流れ、有機ＥＬ素子ＯＬＥＤが発光する。しかしながら、その期間は１フレーム期間（１Ｆ）に比べて十分に短いため、このような発光の画質への影響は小さい。また、例えばそのサブ画素４１１が黒色を表示する場合には、初期化の時点で駆動トランジスタＤＲＴｒに電流が流れないようにゲート・ソース間電圧Ｖgsを設定するため、このような発光が生じない。よって、十分な黒色を表示することができ、高いコントラストを得ることができる。
【手続補正８２】
【補正対象書類名】明細書
【補正対象項目名】０４２１
【補正方法】変更
【補正の内容】
【０４２１】
＜１３．第７の実施の形態＞
次に、第７の実施の形態に係る表示装置５００について説明する。本実施の形態は、３つのＮチャネルＭＯＳ型のＴＦＴ、および１つの容量素子Ｃｓを有するサブ画素を用いて、第１２の実施の形態に係る表示装置４００と同様の動作を実現するものである。なお、上記第６の実施の形態に係る表示装置等と実質的に同一の構成部分には同一の符号を付し、適宜説明を省略する。
【手続補正８３】
【補正対象書類名】明細書
【補正対象項目名】０４２６
【補正方法】変更
【補正の内容】
【０４２６】
まず、駆動部５２０は、タイミングｔ２６１〜ｔ２６２の期間（書込期間Ｐ１）において、サブ画素５１１に対して画素電圧Ｖsigの書込みを行うとともに、サブ画素５１１の初期化を行う。具体的には、まず、タイミングｔ２６１において、データ線駆動部５２７が、信号Ｓigを画素電圧Ｖsigに設定し（図９３（Ｃ））、走査線駆動部５２３が、走査信号ＷＳの電圧を低レベルから高レベルに変化させる（図９３（Ａ））。これにより、書込トランジスタＷＳＴｒがオン状態になり、駆動トランジスタＤＲＴｒのゲート電圧Ｖｇが画素電圧Ｖsigに設定される（図９３（Ｄ））。また、これと同時に、電源制御線駆動部５２５が、電源制御信号ＤＳの電圧を低レベルから高レベルに変化させる（図９３（Ｂ））。これにより、電源トランジスタＤＳＴｒがオン状態になり、電流が、駆動トランジスタＤＲＴｒから、電源トランジスタＤＳＴｒを介して有機ＥＬ素子ＯＬＥＤに流れる。これにより、駆動トランジスタＤＲＴｒのソース電圧Ｖｓは、所定の電圧（電圧Ｖcath＋有機ＥＬ素子ＯＬＥＤのオン電圧Ｖoled1）に設定される（図９３（Ｅ））。このようにして、サブ画素５１１が初期化される。ここで、この所定の電圧は、本開示における「第１の電圧」の一具体例に対応する。
【手続補正８４】
【補正対象書類名】明細書
【補正対象項目名】０４２７
【補正方法】変更
【補正の内容】
【０４２７】
なお、書込期間Ｐ１（タイミングｔ２６１〜ｔ２６２の期間）には、有機ＥＬ素子ＯＬＥＤに画素電圧Ｖsigに応じた電流が流れ、有機ＥＬ素子ＯＬＥＤが発光する。しかしながら、その期間は１フレーム期間（１Ｆ）に比べて十分に短く、また、例えばそのサブ画素５１１が黒色を表示する場合には電流量も十分に小さいため、コントラストを悪化させるおそれは殆どないと考えられる。
【手続補正８５】
【補正対象書類名】明細書
【補正対象項目名】０４２８
【補正方法】変更
【補正の内容】
【０４２８】
次に、駆動部５２０は、タイミングｔ２６２〜ｔ２６３の期間（Ｉds補正期間Ｐ２）において、サブ画素５１１に対してＩds補正を行う。具体的には、タイミングｔ２６２において、電源制御線駆動部５２５が、電源制御信号ＤＳの電圧を高レベルから低レベルに変化させる（図９３（Ｂ））。これにより、電源制御トランジスタＤＳＴｒがオフ状態になり、有機ＥＬ素子ＯＬＥＤは消灯する。そして、駆動トランジスタＤＲＴｒのドレインからソースに電流が流れ、ソース電圧Ｖｓが上昇する（図９３（Ｅ））。このようにソース電圧Ｖｓが上昇することにより、駆動トランジスタＤＲＴｒのドレインからソースへの電流が低下する。この負帰還動作により、ソース電圧Ｖｓは、時間が経つにつれ、よりゆっくりと上昇するようになる。このＩds補正を行う時間の長さ（タイミングｔ２６２〜ｔ２６３）は、上記第１の実施の形態に記載したように、タイミングｔ２６３における駆動トランジスタＤＲＴｒを流れる電流のばらつきを抑えるために定められるものである。
【手続補正８６】
【補正対象書類名】明細書
【補正対象項目名】０４３１
【補正方法】変更
【補正の内容】
【０４３１】
その後、表示装置５００では、所定の期間（１フレーム期間）が経過したのち、発光期間Ｐ３から書込期間Ｐ１に移行する。駆動部５２０は、この一連の動作を繰り返すように駆動する。
【手続補正８７】
【補正対象書類名】明細書
【補正対象項目名】０４４１
【補正方法】変更
【補正の内容】
【０４４１】
このように、表示装置６（図９５Ａ，９５Ｂ），２（図９６Ａ，９６Ｂ），７（図９７Ａ，９７Ｂ）では、駆動トランジスタＤＲＴｒの素子ばらつきが画質に与える影響を抑えるための補正をなんら行っていない表示装置９（図９８）に比べ、電流Ｉdsのばらつきを抑えることができる。特に、表示装置６（図９５Ａ，９５Ｂ）では、電流Ｉdsのばらつきを最も抑えることができ、次いで表示装置２（図９６Ａ，９６Ｂ）、そして表示装置７（図９７Ａ，９７Ｂ）でも、このばらつきを抑えることができる。
【手続補正８８】
【補正対象書類名】明細書
【補正対象項目名】０４３６
【補正方法】変更
【補正の内容】
【０４３６】
図９５Ａは、第１の参考例に係る表示装置６における電流Ｉdsの画素電圧Ｖsig依存性を表すものである。この図９５Ａは、互いに異なる複数のプロセス条件でトランジスタを製造した場合を想定したシミュレーション結果を示している。図９５Ｂは、図９５Ａで示した電流Ｉdsのばらつきの画素電圧Ｖsig依存性を表すものである。
【手続補正８９】
【補正対象書類名】明細書
【補正対象項目名】０４３８
【補正方法】変更
【補正の内容】
【０４３８】
図９７Ａは、第２の参考例に係る表示装置７における電流Ｉdsの画素電圧Ｖsig依存性を表すものである。図９７Ｂは、図９７Ａで示した電流Ｉdsのばらつきの画素電圧Ｖsig依存性を表すものである。
【手続補正９０】
【補正対象書類名】明細書
【補正対象項目名】０４３９
【補正方法】変更
【補正の内容】
【０４３９】
図９８は、第４の参考例に係る表示装置９における電流Ｉdsの電圧Ｖgs依存性を表すものである。